(57)【要約】【課題】保存ジョブを選択した際の出力不可を容易に把握して、機械設定変更などによって対応することを可能にする。【解決手段】画像データとチケット情報を含むジョブに基づいて画像形成を行う画像形成部と、保存ジョブを記憶する記憶部と、操作と表示を行う操作表示部と、少なくとも、前記記憶部および前記操作表示部を制御する制御部と、を備え、前記制御部は、前記記憶部に記憶されている保存ジョブのうちからジョブを選択した場合、現在の機械の設定内容と選択されたジョブのチケット情報とを比較し、前記チケット情報に、現在の機械の設定内容では出力できない設定を含むとき、警告とともに機械の設定を変更するための機能表示を前記操作表示部に表示することで、保存ジョブを選択した際に、出力可能か否かの判断が可能であり、ユーザーの判断により機械の稼働率（機械を止めない）を上げることが可能となる。【選択図】図４
2015101016.tif 000002
【特許請求の範囲】
【請求項１】
画像データとチケット情報を含むジョブに基づいて画像形成を行う画像形成部と、
保存ジョブを記憶する記憶部と、
操作と表示を行う操作表示部と、
少なくとも、前記記憶部および前記操作表示部を制御する制御部と、を備え、
前記制御部は、前記記憶部に記憶されている保存ジョブのうちからジョブを選択した場合、現在の機械の設定内容と選択されたジョブのチケット情報とを比較し、前記チケット情報に、現在の機械の設定内容では出力できない設定を含むとき、警告とともに機械の設定を変更するための機能表示を前記操作表示部に表示することを特徴とする画像形成装置。
【請求項２】
前記制御部は、前記操作表示部に前記保存ジョブの一覧を表示する機能を有し、前記選択がされたジョブに現在の機械の設定内容では出力できない設定を含む場合、該ジョブに関する表示を通常とは異なる表示形式で表示することを特徴とする請求項１記載の画像形成装置。
【請求項３】
通常とは異なる表示形式で表示される項目が、現在の機械の設定と異なるチケット情報の項目であることを特徴とする請求項２記載の画像形成装置。
【請求項４】
前記制御部は、機械の設定を変更するための前記機能表示を、前記保存ジョブの一覧内容および該保存ジョブのチケット情報の内容の表示に重ならない位置で前記操作表示部に表示させることを特徴とする請求項１〜３のいずれか１項に記載の画像形成装置。
【請求項５】
前記機械の設定が、用紙に関する設定を含むことを特徴とする請求項１〜４のいずれか１項に記載の画像形成装置。
【請求項６】
前記制御部は、現在の機械の設定内容としてトレイの設定状態を前記操作表示部に表示し、前記トレイ設定状態には少なくとも用紙サイズ、用紙名称、坪量の表示を含み、設定の差異を判定する条件には、さらに用紙のプロファイルに付随する各調整値を含むことを特徴とする請求項５に記載の画像形成装置。
【請求項７】
選択された前記ジョブの前記チケット情報に現在の使用トレイの設定内容では出力できない設定を含むとき、保存されている他のＪＯＢで同じトレイの使用予定があるか無いかを識別する情報を表示することを特徴とする請求項５または６に記載の画像形成装置。
【請求項８】
画像データとチケット情報を含むジョブに基づいて画像形成を行う画像形成部と、
保存ジョブを記憶する記憶部と、
操作と表示を行う操作表示部と、
少なくとも、前記記憶部および前記操作部を制御する制御部と、を備え、
前記制御部は、前記記憶部に記憶されている保存ジョブのうちからジョブを選択した場合、現在の機械の設定内容と選択されたジョブのチケット情報とを比較し、前記チケット情報に、現在の機械の設定内容では出力できない設定を含むとき、警告とともに機械の設定を変更するための機能表示を前記操作表示部に表示することを特徴とする画像形成システム。
【請求項９】
前記制御部は、前記操作表示部に前記保存ジョブの一覧を表示する機能を有し、前記選択がされたジョブに現在の機械の設定内容では出力できない設定を含む場合、該ジョブに関する表示を通常とは異なる表示形式で表示することを特徴とする請求項８記載の画像形成システム。
【請求項１０】
通常とは異なる表示形式で表示される項目が、現在の機械の設定と異なるチケット情報の項目であることを特徴とする請求項９に記載の画像形成システム。
【請求項１１】
前記制御部は、機械の設定を変更するための前記機能表示を、前記保存ジョブの一覧内容および該保存ジョブのチケット情報の内容の記載に重ならない位置で前記操作表示部に表示させることを特徴とする請求項８〜１０のいずれか１項に記載の画像形成システム。
【請求項１２】
前記機械の設定が、用紙に関する設定を含むことを特徴とする請求項８〜１１のいずれか１項に記載の画像形成システム。
【請求項１３】
前記制御部は、現在の機械の設定内容としてトレイの設定状態を前記操作表示部に表示し、前記トレイ設定状態には少なくとも用紙サイズ、用紙名称、坪量の表示を含み、設定の差異を判定する条件には、さらに用紙のプロファイルに付随する各調整値を含むことを特徴とする請求項１２に記載の画像形成システム。
【請求項１４】
選択された前記ジョブの前記チケット情報に現在の使用トレイの設定内容では出力できない設定を含むとき、保存されている他のＪＯＢで同じトレイの使用予定があるか無いかを識別する情報を表示することを特徴とする請求項１２または１３に記載の画像形成システム。
【請求項１５】
画像データとチケット情報を含むジョブを記憶部に保存し、前記ジョブに基づいて画像形成を行う画像形成方法において、
前記記憶部に記憶されている保存ジョブのうちからジョブを選択した場合、現在の機械の設定内容と選択されたジョブのチケット情報を比較し、前記チケット情報に、現在の機械の設定内容では出力できない設定を含むとき、警告とともに機械の設定を変更するための操作を可能にすることを特徴とする画像形成方法。
【請求項１６】
前記保存ジョブの一覧を表示する機能を有し、前記選択がされたジョブに現在の機械の設定内容では出力できない設定を含む場合、該ジョブに関する表示を通常とは異なる表示形式で表示することを特徴とする請求項１５記載の画像形成方法。
【請求項１７】
通常とは異なる表示形式で表示される項目が、現在の機械の設定と異なるチケット情報の項目であることを特徴とする請求項１６に記載の画像形成方法。
【請求項１８】
機械の設定を変更するための前記機能表示を、前記保存ジョブの一覧内容および該保存ジョブのチケット情報の内容の記載に重ならない位置で表示させることを特徴とする請求項１５〜１７のいずれか１項に記載の画像形成方法。
【請求項１９】
前記機械の設定が、用紙に関する設定を含むことを特徴とする請求項１５〜１８のいずれか１項に記載の画像形成方法。
【請求項２０】
現在の機械の設定内容としてトレイの設定状態を表示し、トレイ設定状態には少なくとも用紙サイズ、用紙名称、坪量の表示を含み、設定の差異を判定する条件には、さらに用紙のプロファイルに付随する各調整値を含むことを特徴とする請求項１９に記載の画像形成方法。
【請求項２１】
選択された前記ジョブの前記チケット情報に現在の使用トレイの設定内容では出力できない設定を含むとき、保存されている他のＪＯＢで使用予定があるか無いかを識別する情報を表示することを特徴とする請求項１９または２０に記載の画像形成方法。
【発明の詳細な説明】
【技術分野】
【０００１】
この発明は、画像データとチケット情報を含むジョブに基づいて画像形成を行う画像形成装置、画像形成システムおよび画像形成方法に関するものである。
【背景技術】
【０００２】
用紙に画像形成を行う画像形成装置では、画像データとチケット情報を含むジョブに基づいて画像形成が行われる。該ジョブは、画像メモリーやＨＤＤなどの記憶部に、一時的に保存ジョブとして記憶することができ、保存ジョブのうちから、スケジュール画面などによって所定の順序でジョブが実行される。
保存ジョブは、操作表示部に一覧で表示することができ、一覧中から所望のジョブを選択して、選択されたジョブに関し、チケット情報の編集を行ったり、ジョブを削除したり、実行ジョブとして予約を行ったりすることができる。
ところで、チケット情報が設定されたジョブを保存した後でも、画像形成装置の機械設定を変更することができ、例えば、用紙を給紙するトレイの設定を変更したり、ユニット交換によってシステム構成を変更したりすることができる画像形成装置（例えば特許文献１参照）などが提案されている。
【０００３】
例えば、特許文献１の画像形成装置では、ユニット交換によりシステム構成が変更可能な画像形成装置であって、第１のシステム構成に対応する印刷条件が設定されたページと、第２のシステム構成に対応する印刷条件が設定されたページと、が混在する単一ジョブを予約登録可能なジョブ登録手段と、前記ジョブ登録手段により予約登録されたジョブに基づいて印刷を行う印刷手段と、前記ジョブ登録手段により予約登録されたジョブに含まれるページのうち、現在の前記画像形成装置のシステム構成で印刷可能なページを抽出して前記印刷手段により印刷させる制御手段を備える画像形成装置が提案されている。
【先行技術文献】
【特許文献】
【０００４】
【特許文献１】特開２０１３−８８７３３号公報
【発明の概要】
【発明が解決しようとする課題】
【０００５】
しかし、特許文献１の画像形成装置は、予約登録をした（ジョブを選択して出力予約の決定を行った状態）ジョブに対して、現在の機械の状態で出力可能なページのみ抽出して出力する構成であり、条件が不一致するジョブであっても可能な部分は出力することで機械を止めないことを特徴としている。また、予約ジョブリストにジョブが積まれた状態では、スケジュール画面において出力可否を表示する構成もある。
しかし、予約ジョブをスケジュール画面などに基づいて実行する場合ではなく、保存ジョブの中からジョブを選択した場合、出力予約ジョブとするか否かに拘わらず、現在の機械の設定状態でそのまま出力可能であるか、否かをユーザーが判断することができない。これは、保存ジョブを選択しただけの時点では出力可否は通知されず、予約ジョブとした状態で初めて通知されるためである。
また設定の変更が必要な場合、事前に何をすべきかを把握することができない。そのためジョブの出力順番が来るまで、設定の変更作業が行えないという問題がある。
【０００６】
本願発明は、上記事情を背景としてなされたものであり、選択された保存ジョブにおいて、現在の機械の設定状態で、そのまま出力可能であるか、否かをユーザーが判断することを可能にする画像形成装置、画像形成システムおよび画像形成方法を提供することを目的とする。
【課題を解決するための手段】
【０００７】
すなわち、本発明の画像形成装置のうち、第１の本発明において、画像データとチケット情報を含むジョブに基づいて画像形成を行う画像形成部と、保存ジョブを記憶する記憶部と、操作と表示を行う操作表示部と、少なくとも、前記記憶部および前記操作表示部を制御する制御部と、を備え、
前記制御部は、前記記憶部に記憶されている保存ジョブのうちからジョブを選択した場合、現在の機械の設定内容と選択されたジョブのチケット情報とを比較し、前記チケット情報に、現在の機械の設定内容では出力できない設定を含むとき、警告とともに機械の設定を変更するための機能表示を前記操作表示部に表示することを特徴とする。
【０００８】
第２の本発明の画像形成装置は、前記第１の本発明において、前記制御部は、前記操作表示部に前記保存ジョブの一覧を表示する機能を有し、前記選択がされたジョブに現在の機械の設定内容では出力できない設定を含む場合、該ジョブに関する表示を通常とは異なる表示形式で表示することを特徴とする。
第３の本発明の画像形成装置は、前記第２の本発明において、通常とは異なる表示形式で表示される項目が、現在の機械の設定と異なるチケット情報の項目であることを特徴とする。
第４の本発明の画像形成装置は、前記第１〜第３の本発明のいずれかにおいて、前記制御部は、機械の設定を変更するための前記機能表示を、前記保存ジョブの一覧内容および該保存ジョブのチケット情報の内容の表示に重ならない位置で前記操作表示部に表示させることを特徴とする。
第５の本発明の画像形成装置は、前記第１〜第４の本発明のいずれかにおいて、前記機械の設定が、用紙に関する設定を含むことを特徴とする。
第６の本発明の画像形成装置は、前記第５の本発明において、前記制御部は、現在の機械の設定内容としてトレイの設定状態を前記操作表示部に表示し、前記トレイ設定状態には少なくとも用紙サイズ、用紙名称、坪量の表示を含み、設定の差異を判定する条件には、さらに用紙のプロファイルに付随する各調整値を含むことを特徴とする。
第７の本発明の画像形成装置は、前記第５または第６の本発明において、選択された前記ジョブの前記チケット情報に現在の使用トレイの設定内容では出力できない設定を含むとき、保存されている他のＪＯＢで同じトレイの使用予定があるか無いかを識別する情報を表示することを特徴とする。
【０００９】
第８の本発明の画像形成システムは、画像データとチケット情報を含むジョブに基づいて画像形成を行う画像形成部と、保存ジョブを記憶する記憶部と、操作と表示を行う操作表示部と、少なくとも、前記記憶部および前記操作部を制御する制御部と、を備え、
前記制御部は、前記記憶部に記憶されている保存ジョブのうちからジョブを選択した場合、現在の機械の設定内容と選択されたジョブのチケット情報とを比較し、前記チケット情報に、現在の機械の設定内容では出力できない設定を含むとき、警告とともに機械の設定を変更するための機能表示を前記操作表示部に表示することを特徴とする。
【００１０】
第９の本発明の画像形成システムは、前記第８の本発明において、前記制御部は、前記操作表示部に前記保存ジョブの一覧を表示する機能を有し、前記選択がされたジョブに現在の機械の設定内容では出力できない設定を含む場合、該ジョブに関する表示を通常とは異なる表示形式で表示することを特徴とする。
第１０の本発明の画像形成システムは、前記第８または第９の本発明において、通常とは異なる表示形式で表示される項目が、現在の機械の設定と異なるチケット情報の項目であることを特徴とする。
第１１の本発明の画像形成システムは、前記第８〜第１０の本発明のいずれかにおいて、前記制御部は、機械の設定を変更するための前記機能表示を、前記保存ジョブの一覧内容および該保存ジョブのチケット情報の内容の記載に重ならない位置で前記操作表示部に表示させることを特徴とする。
第１２の本発明の画像形成システムは、前記第８〜第１１の本発明のいずれかにおいて、前記機械の設定が、用紙に関する設定を含むことを特徴とする。
第１３の本発明の画像形成システムは、前記第１２の本発明において、前記制御部は、現在の機械の設定内容としてトレイの設定状態を前記操作表示部に表示し、前記トレイ設定状態には少なくとも用紙サイズ、用紙名称、坪量の表示を含み、設定の差異を判定する条件には、さらに用紙のプロファイルに付随する各調整値を含むことを特徴とする。
第１４の本発明の画像形成システムは、前記第１２または第１３の本発明において、選択された前記ジョブの前記チケット情報に現在の使用トレイの設定内容では出力できない設定を含むとき、保存されている他のＪＯＢで同じトレイの使用予定があるか無いかを識別する情報を表示することを特徴とする。
【００１１】
第１５の画像形成方法は、画像データとチケット情報を含むジョブを記憶部に保存し、前記ジョブに基づいて画像形成を行う画像形成方法において、
前記記憶部に記憶されている保存ジョブのうちからジョブを選択した場合、現在の機械の設定内容と選択されたジョブのチケット情報を比較し、前記チケット情報に、現在の機械の設定内容では出力できない設定を含むとき、警告とともに機械の設定を変更するための操作を可能にすることを特徴とする。
第１６の本発明の画像形成システムは、前記第１５の本発明において、前記保存ジョブの一覧を表示する機能を有し、前記選択がされたジョブに現在の機械の設定内容では出力できない設定を含む場合、該ジョブに関する表示を通常とは異なる表示形式で表示することを特徴とする。
第１７の本発明の画像形成システムは、前記第１５または第１６の本発明において、通常とは異なる表示形式で表示される項目が、現在の機械の設定と異なるチケット情報の項目であることを特徴とする。
第１８の本発明の画像形成システムは、前記第１５〜第１７の本発明のいずれかにおいて、機械の設定を変更するための前記機能表示を、前記保存ジョブの一覧内容および該保存ジョブのチケット情報の内容の記載に重ならない位置で表示させることを特徴とする。
第１９の本発明の画像形成システムは、前記第１５〜第１８の本発明のいずれかにおいて、前記機械の設定が、用紙に関する設定を含むことを特徴とする。
第２０の本発明の画像形成システムは、前記第１９の本発明において、現在の機械の設定内容としてトレイの設定状態を表示し、トレイ設定状態には少なくとも用紙サイズ、用紙名称、坪量の表示を含み、設定の差異を判定する条件には、さらに用紙のプロファイルに付随する各調整値を含むことを特徴とする。
第２１の本発明の画像形成システムは、前記第１９または第２０の本発明において、選択された前記ジョブの前記チケット情報に現在の使用トレイの設定内容では出力できない設定を含むとき、保存されている他のＪＯＢで使用予定があるか無いかを識別する情報を表示することを特徴とする。
【発明の効果】
【００１２】
以上説明したように、本発明によれば、保存ジョブからジョブを選択した際に、設定を変更せずに出力可能か否かの判断が可能であり、ユーザーの判断により機械の稼働率（機械を止めない）をあげることが可能となる。また、ジョブを選択した際、設定が異なれば、チケットを編集する、または機械の用紙設定を変更可能であり、機械の稼働率（機械を止めない）をあげることが可能となる。
【図面の簡単な説明】
【００１３】
【図１】本発明の一実施形態における画像形成システムの機械的構成を示す概略図である。
【図２】同じく、画像形成装置を含む画像形成システムの制御ブロックを示す図である。
【図３】同じく、保存ジョブの一覧を表示する画面の構成例であって、ジョブ選択時に出力可能であることを通知する画面を示す図である。
【図４】同じく、保存ジョブの一覧を表示する画面の構成例であって、現在の機械設定では出力不可の際に、機械のトレイ設定状態を表示するとともに機械の用紙設定を変更する釦を表示した画面例を示す図である。
【図５】同じく、機械の用紙設定変更画面の例を示す図である。
【図６】同じく、保存ジョブの一覧画面上でジョブを選択した場合の表示手順を示すフローチャートである。
【発明を実施するための形態】
【００１４】
以下に、本発明の一実施形態の画像形成システムを添付図面に基づいて説明する。
画像形成システムは、画像形成装置１の前段側に大容量給紙トレイ１６１が接続され、画像形成装置１の後段側に後処理装置（ＦＮＳ）１８０が接続されたものである。画像形成システムでは、各装置間で用紙の搬送が可能になっているとともに、互いに通信可能になっている。なお、この実施形態では、画像形成装置１と後処理装置（ＦＮＳ）１８０などによって画像形成システムが構成されているが、画像形成装置に後処理装置などが含まれて画像形成装置とされるものであってもよい。
【００１５】
画像形成装置１には、その上部側に、ＣＣＤ１３１を含むスキャナー部１３０、流し込みｔｙｐｅの自動原稿搬送装置（ＡＤＦ）１３５が設けられており、プラテンガラスまたはＡＤＦ原稿読み取り用スリットガラスを通して原稿の画像読取が可能になっている。
上記したスキャナー部１３０、流し込みｔｙｐｅ自動原稿搬送装置（ＡＤＦ）１３５、プラテンガラス、ＡＤＦ原稿読み取り用スリットガラスなどにより、画像読込部が構成されている。
【００１６】
また、画像形成装置１の上部側で、プラテンガラスが位置しない箇所に操作部１４０が設けられている。操作部１４０は、タッチパネル操作が可能なタッチパネルＬＣＤ１４０Ａを有し、さらにタッチパネルＬＣＤ１４０Ａの側方側に、マウス１４０ＣまたはＵＳＢマウスなどの入力ポートが設けられている。
操作部１４０は、操作者による操作が可能であり、さらにタッチパネルＬＣＤ１４０Ａでは各種情報の表示が可能になっており、表示部としての構成も有している。すなわち、タッチパネルＬＣＤ１４０Ａおよびマウス１４０Ｃは、操作部１４０として、本発明の操作表示部に相当する。
【００１７】
上記のように、本実施形態では、操作表示部は、操作を行う操作部と表示を行う表示部とにより構成することができ、操作部と表示部とは別体で構成されていてもよく、また、操作部と表示部とが一体で構成されていてもよい。
なお、本発明では、操作部は、複写機／プリンタ等の画像形成装置の機能設定、実行条件などを設定することができ、表示は、ＣＲＴ、液晶、ＥＬ等の表示パネルからなる表示部により構成することができる。また、操作表示部では、表示パネルの釦位置に対応した座標位置の検出を行うタッチパネルを備えることができ、マウス等の入力装置を含むことができる。
【００１８】
画像形成装置１の下部側には、複数の給紙トレイ（１〜３）１７０（図では３段）が配置され、さらに画像形成装置１に付設するようにして、給紙トレイを有する大容量給紙トレイ１６１が配置されている。
画像形成装置１内には、いずれかの給紙トレイから給紙される用紙を搬送する搬送路、給紙ローラーなどが設けられており、画像形成装置１内の搬送路途中に、帯電器１５４、ＬＤ１５２、感光体１５３、現像器１５５、転写部１５６、定着器１５７などで構成される画像形成部が設けられている。また、大容量給紙トレイ１６１にはそれぞれ給紙された用紙を搬送して画像形成装置１内に導入する搬送路（図示しない）が設けられている。さらに、後処理装置（ＦＮＳ）１８０では、画像が印刷された用紙を搬送して後処理を行うことなく、または後処理を行って排紙をする排紙路を有している。
上記画像形成部、給紙トレイ（１−３）１７０、大容量給紙トレイ１７１、搬送路、給紙ローラーなどによって、プリンター部１５０が構成されている。
【００１９】
画像形成部では、帯電器１５４、現像器１５５、転写部１５６は、感光体１５３の周囲に配置されている。帯電器１５４は、画像書込み前に感光体１５３の表面を一様に帯電する。ＬＤ１５２は、表面が一様に帯電された感光体１５３に半導体レーザを照射することにより感光体１５３に静電潜像を形成する。現像器１５５は、ＬＤ１５２によって感光体１５３に形成された静電潜像をトナー部材によって現像する。この現像処理によって感光体１５３にトナー画像が形成される。転写部１５６は、給紙トレイ（１−３）１７０や大容量給紙トレイ１６１から搬送されてきた用紙に感光体１５３のトナー画像を転写する。トナー画像が転写された用紙は、感光体１５３から分離されて定着器１５７に搬送される。感光体１５３に残留したトナー部材は、クリーニング部によって除去される。
【００２０】
定着器１５７は、搬送された用紙を加熱することにより用紙の表面側に転写されたトナー画像を定着する。定着処理が施された用紙は、片面印刷の場合には画像形成装置１の側方に位置する後処理装置（ＦＮＳ）１８０にそのまま搬送される。両面印刷の場合には、定着後の用紙がスイッチバックされて当該用紙の裏面側に画像形成部で所定の画像が転写される。そして、両面に画像が形成された用紙は定着後に後処理装置（ＦＮＳ）１８０に搬送される。
後処理装置（ＦＮＳ）１８０では、ステイプル、パンチ、中折りなどの後処理が行われ、排紙される。
【００２１】
上記の画像形成システムは、画像形成装置１と、大容量給紙トレイ１６１と、後処理装置（ＦＮＳ）１８０と、後述する端末（ＰＣ）３とを有しているが、本発明としては画像形成システムを構成する装置が特に限定されるものではなく、画像形成装置の他にはその数や種別が特に限定されるものではなく、複数の後処理装置を備えるものであってもよく、その他に、中継装置、スタック装置などの各種の外部装置を接続することができる。
【００２２】
図２は、本実施形態の画像形成システムの制御ブロックを示す図である。
画像形成システムは、画像形成装置１と端末（ＰＣ）３を備え、これらがネットワークであるＬＡＮ２によって通信可能に接続されている。端末（ＰＣ）３は、画像形成装置１の遠隔操作が可能になっている。なお、この図では、後処理装置（ＦＮＳ）１８０、大容量給紙装置１６１の制御ブロックは省略する。
なお、画像形成システムは、複数の画像形成装置がＬＡＮ２で接続されているものでもよく、端末（ＰＣ）３が接続されず、他の画像形成装置が端末として接続されて遠隔操作が可能になっているものであってもよい。
【００２３】
画像形成装置１は、主要な構成として、制御ブロック１００とスキャナー部１３０と操作部１４０とプリンター部１５０とを有している。
制御ブロック１００では、制御ＣＰＵ１１０を備えており、制御ＣＰＵ１１０にＤＲＡＭ制御ＩＣ１１１が接続されている。制御ＣＰＵ１１０には、ＲＯＭ１１４、不揮発メモリ１１５が接続されている。ＲＯＭ１１４には、制御ＣＰＵ１１０を動作させるプログラムなどが格納されている。不揮発メモリー１１５はフラッシュメモリーなどにより構成され、画像形成装置１の初期印刷設定情報や、プロセス制御パラメータ等の機械設定情報、出力設定の初期データー、操作部に表示する画面情報、機械設定等が格納されている。
【００２４】
また、制御ＣＰＵ１１０は、不揮発メモリー１１５の不揮発データーを読み取り可能であり、また、所望のデーターを不揮発メモリー１１５に書き込むことが可能である。
制御ＣＰＵ１１０は、上記機械設定情報や印刷設定情報、出力設定などに従って画像形成装置１の各部を動作制御する。
制御ＣＰＵ１１０は、ＲＯＭ１１４、不揮発メモリー１１５などとともに本発明の制御部を構成し、画像形成装置および画像形成システムを制御し、画像形成装置の状態把握を行う。
【００２５】
スキャナー部１３０は、光学読み取りを行うＣＣＤ１３１と、スキャナー部１３０全体の制御を行うスキャナー制御部１３２とを備えている。スキャナー制御部１３２は、制御ＣＰＵ１１０に接続されており、制御ＣＰＵ１１０による制御を受ける。なお、スキャナー制御部１３２は、ＣＰＵやこれを動作させるプログラムなどによって構成することができる。前記ＣＣＤ１３１で読み取った画像情報は、読み取り処理部１１６でデーター処理がなされる。読み取り処理部１１６には、ＤＲＡＭ制御ＩＣ１１１に接続されており、読み取り処理部１１６でデーター処理された画像データーはＤＲＡＭ制御ＩＣ１１１に送信される。
【００２６】
操作部１４０は、前記したタッチパネルＬＣＤ１４０Ａと、操作部制御部１４２と、さらに図１に示したマウス１４０Ｃを備えており、図示しないＶＲＡＭなどを備えることができる。操作部制御部１４２は、タッチパネルＬＣＤ１４０Ａ、マウス１４０Ｃを制御するものであり、操作部制御部１４２と、制御ＣＰＵ１１０とがシリアル通信可能に接続されている。
制御ＣＰＵ１１０は、操作部制御部１４２に制御指令を送ることで、操作部１４０全体を制御することができる。また、操作部制御部１４２では、タッチパネルＬＣＤ１４０Ａ、マウス１４０Ｃにおける操作入力座標を取得して制御ＣＰＵ１１０に送信する。
すなわち、操作部１４０は、ＣＲＴ、液晶、ＥＬ等の表示部と表示部の釦位置に対応した座標位置の検出を行うタッチパネル、マウス等の入力部を含む装置である。
【００２７】
上記構成によって操作部１４０の制御が制御ＣＰＵ１１０によって行われ、ＶＲＡＭに描かれた操作画面がタッチパネルＬＣＤ１４０Ａに表示されるとともに、操作部１４０の入力情報が制御ＣＰＵ１１０に送られる。なお、操作部制御部１４２は、ＣＰＵやこれを動作させるプログラムなどによって構成することができる。ＶＲＡＭに描かれる画面情報や不揮発メモリー１１５やＨＤＤ１２７などに格納しておき、必要に応じて読み出すことができる。
また、制御ＣＰＵ１１０は、遠隔操作用に端末（ＰＣ）３に表示する操作画面をＶＲＡＭに描いて画面画像を端末（ＰＣ）３に送信し、端末操作画面を端末操作部３０に操作可能に表示することができる。この場合、端末操作部３０は、本発明の操作表示部として機能することができる。
【００２８】
また、前記ＤＲＡＭ制御ＩＣ１１１には、画像データーを圧縮する圧縮ＩＣ１１８と、画像データーを伸長する伸長ＩＣ１２５が接続されている。さらにＤＲＡＭ制御ＩＣ１１１には、圧縮メモリー１２０とページメモリー１２１とを含む画像メモリー（ＤＲＡＭ）が接続され、さらに、ＰＣＩバスを介してＨＤＤ１２７が接続されている。
画像メモリー（ＤＲＡＭ）の圧縮メモリー１２０やＨＤＤ１２７には、保存ジョブや予約ジョブなどを保存することができ、本発明の記憶部を構成している。ジョブには、画像データとチケット情報が含まれている。チケット情報としては、用紙サイズ、紙種、カラー、仕上げ処理オプション、ジョブチケット番号、ジョブ名称などが挙げられる。なお、チケット情報の内容は、ここに規定したものに限定されるものではない。
【００２９】
ＤＲＡＭ制御ＩＣ１１１は、制御ＣＰＵ１１０からの指示に従って、圧縮ＩＣ１１８による画像データーの圧縮処理及び伸長ＩＣ１２５による圧縮画像データーの伸長処理を制御するとともに、画像メモリー（ＤＲＡＭ）やＨＤＤ１２７への画像データーの入出力制御を行う。
書き込み処理部１２６は、プリンター部１５０のＬＤ１５２に接続され、画像データーに基づいてＬＤ１５２の動作に用いられる書き込みデーターを生成する。
【００３０】
プリンター部１５０は、画像形成部、給紙トレイ（１−３）１７０、搬送経路などにより構成される。
また、プリンター部１５０は、プリンター部１５０の全体（給紙、画像形成、排紙、後処理など）を制御するプリンター制御部１５１を備えており、プリンター制御部１５１は前記した制御ＣＰＵ１１０にシリアル通信可能に接続されている。プリンター制御部１５１は制御ＣＰＵ１１０の制御指令に従って動作して、プリンター部１５０を制御し、用紙搬送、画像形成などを行う。
【００３１】
また、上記のようにＤＲＡＭ制御ＩＣ１１１が接続されたＰＣＩバスには、画像処理部（プリント＆スキャナーコントローラー）１６０のＤＲＡＭ制御ＩＣ１６１が接続されている。画像処理部（プリント＆スキャナーコントローラー）１６０は、画像形成装置１をネットワークプリンターやネットワークスキャナーとして使用する場合に、ＬＡＮ２に接続される端末（ＰＣ）３から画像データー等を画像形成装置１で受信したり、スキャナー部１３０で取得した画像データーをＬＡＮ２に接続される端末（ＰＣ）３に送信したりするものである。
【００３２】
画像処理部（プリント＆スキャナーコントローラー）１６０では、ＤＲＡＭ制御ＩＣ１６１に、ＤＲＡＭなどで構成される画像メモリー１６２が接続されている。また、画像処理部（プリント＆スキャナーコントローラー）１６０では、共通バスに、画像処理部（プリント＆スキャナーコントローラー）１６０全体の制御を行うコントローラー制御部１６３、ＬＡＮインターフェース１６５、ＨＤＤ１６６が接続されている。ＬＡＮインターフェース１６５は、ＬＡＮ２に接続されている。
【００３３】
端末（ＰＣ）３は、画面の表示および操作の受け付けが行われる端末操作部３０を有しており、端末操作部３０は、本発明における操作表示部として機能することができる。端末（ＰＣ）３は、ＶＮＣクライアントなどを介して端末操作部３０上で、画像形成装置１に関する操作の入力が可能になっているものでもよく、また、操作表示部として画像形成装置の操作および表示を行えるものであってもよい。端末操作部３０は、例えばタッチパネルで構成することができるが、これに限定されるものではなく、ＬＣＤなどの操作部とマウスなどの入力部とが別に構成されているものであってもよい。また、端末（ＰＣ）３には、端末制御部３１を備え、端末（ＰＣ）３全体の制御を行うことができる。
【００３４】
次に、上記画像形成システムの基本的動作について説明する。
先ず、画像形成装置１において画像データーを蓄積する手順について説明する。
画像形成装置１において、スキャナー部１３０で画像を読み取り画像データーを生成する場合について説明する。スキャナー部１３０において原稿からＣＣＤ１３１により画像を光学的に読み取る。この際には、制御ＣＰＵ１１０から指令を受けるスキャナー制御部１３２によってＣＣＤ１３１の動作制御を行う。原稿の読み取りは、自動原稿搬送装置（ＡＤＦ）１３５によって原稿を自動給送しつつ行ってもよく、また、プラテンガラス上に原稿を置いて行ってもよい。
【００３５】
制御ＣＰＵ１１０はプログラムによって動作し、操作部１４０による操作（読み取り指示やコピー指示）に基づいてスキャナー部１３０への指令を発行する。ＣＣＤ１３１で読み取られた画像は、読み取り処理部１１６でデーター処理がなされ、データー処理された画像データーは、圧縮ＩＣ１１８に送られて所定の方法によって圧縮される。圧縮されたデーターは、ＤＲＡＭ制御ＩＣ１１１を介して画像メモリー（ＤＲＡＭ）の圧縮メモリー１２０に格納される。ＨＤＤ１２７に格納する場合は、圧縮メモリー１２０に一旦格納したデーターをＤＲＡＭ制御ＩＣ１１１を介してＨＤＤ１２７に送る。
【００３６】
この他に画像データーは、ＬＡＮ２を介して画像形成装置１に入力されることもある。上記画像データーとしては、例えば端末（ＰＣ）３などのアプリケーションプログラム等により生成されたものなどが挙げられる。画像データーの生成方法は特に限定されるものではない。
【００３７】
ＬＡＮ２を介して入力される画像データーは、ＬＡＮ２、ＬＡＮインターフェース１６５を介して画像処理部（プリント＆スキャナーコントローラー）１６０で受信され、画像メモリー１６２またはＨＤＤ１６６に一旦格納される。画像メモリー１６２またはＨＤＤ１６６に格納されたデーターは、必要な場合はデーター処理がなされ、ＰＣＩバスを介してＤＲＡＭ制御ＩＣ１１１に転送され、ページメモリー１２１に一旦格納される。ページメモリー１２１に格納されたデーターは、ＤＲＡＭ制御ＩＣ１１１を介して圧縮ＩＣ１１８に送られて圧縮処理され、ＤＲＡＭ制御ＩＣ１１１を介して圧縮メモリー１２０に格納される。ＨＤＤ１２７に格納する場合は、圧縮メモリー１２０に一旦格納したデーターをＤＲＡＭ制御ＩＣ１１１を介してＨＤＤ１２７に送る。
【００３８】
上記画像データーの蓄積に際しては、画像データーの蓄積前または蓄積後にチケット情報の設定を行うことができる。チケット情報は、操作部１４０に操作入力が可能な設定画面を表示して、操作者による操作入力によって行うことができる。また、初期設定において出力設定項目が選択されており、操作者による設定入力がなされない場合にも該初期設定によってチケット情報がなされる。また、遠隔操作に際しては、端末（ＰＣ）３の端末操作部３０によって設定入力を行うこともできる。
【００３９】
画像形成装置１で画像出力を行う場合、すなわち複写機やプリンターとして使用する場合、圧縮メモリー１２０に格納された画像データーを、ＤＲＡＭ制御ＩＣ１１１を介して伸長ＩＣ１２５に送出してデーターを伸長し、伸長したデーターを書き込み処理部１２６に送出し、書き込み処理部１２６から送られる書き込みデーターによってＬＤ１５２によって帯電器１５４で帯電した感光体１５３へ書き込みを行う。
なお、ＨＤＤ１２７に格納された画像データーを用いる場合は、ＨＤＤ１２７に格納された画像データーを、ＤＲＡＭ制御ＩＣ１１１を介して一旦、圧縮メモリー１２０に格納し、圧縮メモリー１２０に格納された画像データーをＤＲＡＭ制御ＩＣ１１１を介して伸長ＩＣ１２５に送出してデーターを伸長し、伸長したデーターを上記と同様に書き込み処理部１２６に送出する。
【００４０】
プリンター部１５０では、制御ＣＰＵ１１０の指令を受けたプリンター制御部１５１によって各部の制御が行われる。画像形成部では感光体１５３に書き込まれた潜像が現像器１５５でトナー像として現像され、該トナー像が転写部１５６で搬送経路によって供給される用紙に転写され、定着器１５７で定着がなされる。感光体１５３では、トナー像が用紙転写された後、クリーニング部によって残留トナーが除去される。
なお、この実施形態では、モノクロの画像形成を前提にして説明したが、各色（例えば、シアン、マゼンタ、イエロー、ブラック）毎に感光体等を備える画像形成装置本体としたものであってもよい。
【００４１】
画像形成がなされた用紙は搬送経路を経て後処理装置（ＦＮＳ）１８０に搬送され、後処理設定がなされている場合、所定の後処理が行われて排紙され、後処理設定がなされていない場合は、そのまま排紙される。
【００４２】
また、端末（ＰＣ）３では、前記したように画像形成装置１の遠隔操作が可能になっている。ＶＮＣを例にして説明すると、画像形成装置１には、ＶＮＣ（商標、以下同じ）サーバーが設けられ、端末（ＰＣ）３にＶＮＣクライアントが設けられている。ＶＮＣサーバーとしては制御ＣＰＵ１１０などを用いることができる。
ＶＮＣクライアントは、画像形成装置１のＶＮＣサーバーから画面データーを取得し、自身の操作部制御部に受け渡して取得した画面を端末操作部３０に表示し、その画面に対する操作を受付けて画像形成装置１のＶＮＣサーバーへ伝達する機能を有する。
なお、ＶＮＣサーバーは、接続中のＶＮＣクライアントから遠隔操作の通知がなされると、遠隔操作用の表示画面をグラフィックドライバーなどによってＶＲＡＭに描き、ＶＲＡＭに描画された画面データーをＶＮＣクライアントに送信する。その後、ＶＮＣサーバーはＶＮＣクライアントからの操作情報を受付け、その操作情報を制御ＣＰＵ１１０に伝達する。制御ＣＰＵ１１０では、端末操作部３０における操作内容に従って制御を実行する。これにより、端末（ＰＣ）３の端末操作部３０に表示された端末操作画面から画像形成装置１に対する遠隔操作が可能になる。
【００４３】
なお、制御ＣＰＵ１１０では、保存ジョブや実行予約ジョブの一覧をタッチパネルＬＣＤ１４０Ａに表示して、選択操作を行うことを可能にしている。保存ジョブでは、ジョブを選択して実行予約ジョブに追加したり、チケット情報の編集をしたり、削除をしたりすることが可能になる。実行予約ジョブでは、実行順を定めたスケジュール画面によってジョブの一覧を表示することができる。
【００４４】
図３は、タッチパネル１４０Ａに表示された保存ジョブの一覧を示す保存ジョブ画面１４００Ａを示している。保存ジョブ画面１４００Ａは、画面上の一時保存ジョブタグ１４００を選択することで表示される。
保存ジョブ画面１４００Ａでは、各ジョブが表示されたジョブ一覧表１４０１が表示されており、各ジョブの行を押釦することで選択が可能になっている。選択されたジョブは背景色が変更されるなどして表示が変更されることでジョブの選択を容易に判別することが可能になっている。
【００４５】
ジョブ一覧表１４０１に全てのジョブを表示できない場合、ページめくり釦１４０２を押釦することで、ページの切り替えを行うことができる。ページの切り替えでは、一行ずつスクロールさせてもよく、またページ毎表示を変えるようにしてもよい。
また、ジョブ一覧表１４０１の左側には、選択されたジョブの情報がジョブ表示欄１４０３に表示されている。ジョブ表示欄１４０３には、画像のプレビュー画面や選択トレイ、用紙サイズ、用紙種類、坪量、印刷面、カラーの種別、などが表示されており、さらに、現在の機械設定で出力可能であることが表示されている。
【００４６】
また、保存ジョブ画面１４００Ａでは、画面右側に、ジョブを複数選択することを可能にする複数選択釦１４１０、全てのジョブを選択する全数選択釦１４１１を有しており、それぞれの釦を押釦することで、複数ジョブの選択が可能になり、または全ジョブの選択がなされる。
複数選択釦１４１０、全数選択釦１４１１の下側に、削除釦１４１２、複製釦１４１３が押釦可能に設けられている。削除釦１４１２を押釦することで選択された保存ジョブを削除でき、複製釦１４１３を押釦することで、選択された保存ジョブと同内容のジョブを作成して保存ジョブに追加することができる。その下方には、ＨＤＤ保存釦１４１４が設けられている。ＨＤＤ保存釦１４１４は、画像メモリー（ＤＲＡＭ）に保存されているジョブをＨＤＤ１２７に保存することができる。
【００４７】
ＨＤＤ保存釦１４１４の下方側に、ジョブ編集欄が設けられて、ジョブチケット釦１４２０とページ編集釦１４２１とが押釦可能に表示されている。ジョブチケット釦１４２０を押釦することでジョブ情報の編集を行うことができる。ページ編集釦１４２１を押釦すると、ページ単位での設定を変更することができる。
保存ジョブ画面１４００Ａの下側には、出力釦１４２２が押釦可能に設けられており、選択されたジョブを実行予約ジョブに追加することができる。その際に、実行予約ジョブの一覧を表示して出力順の設定などを可能にしてもよい。
【００４８】
なお、上記の保存ジョブ画面１４００Ａでは、選択された保存ジョブが現在の機械設定で出力可能な場合について説明を行ったが、選択された保存ジョブが現在の機械設定では出力不可の場合について、図４の保存ジョブ画面１４００Ａに基づいて説明する。なお、図３の画面と同じ構成については同一の符号を付して説明を省略または簡略化する。
【００４９】
選択された保存ジョブが現在の機械設定では出力不可の場合、ジョブ表示欄１４０３で、現在の機械の設定と異なるチケット情報の項目を通常の表示とは異なる表示形式で表示する。この例では、用紙に関する情報としてトレイの設定において、チケット情報の一項目である用紙サイズがＡ４に設定されており、現在の機械設定が１２×１８インチサイズの用紙を使用するトレイの設定になっているため出力不可になっており、ジョブ表示欄１４０３の用紙サイズの表示１４０３Ａが他の表示と異なって反転表示されている。なお、チケット情報では、用紙種類がカラー用紙になっており、現在の機械設定である普通紙と異なっているが、この差異は出力不可とするものではなく、表示形式を特に変更していない。
【００５０】
また、保存ジョブ画面１４００Ａのジョブ表示欄１４０３では、現在の機械設定では出力不可であることを警告する警告表示１４０３Ｂが表示されている。なお、本発明としては警告の表示方法は、特に限定されるものではなく、操作部１４０以外に示すことができ、また、音声などによって通知するものであってもよい。
【００５１】
さらに、保存ジョブ画面１４００Ａでは、選択された保存ジョブが現在の機械設定では出力不可の場合、該当する機械設定のトレイの設定内容を表示したトレイ設定表示部１４３０を保存ジョブ画面１４００Ａに表示する。
トレイ設定表示部１４３０は、保存ジョブの一覧内容および該保存ジョブのチケット情報の内容の表示に重ならない位置で表示されている。トレイ設定表示部１４３０では、選択された保存ジョブが出力不可とされるトレイの設定内容を、他のトレイ設定の内容とは異なる表示形式で表示しており、この例では、該当するトレイＮｏ．５のトレイ設定が反転表示されている。
また、トレイ設定表示部１４３０には、現在の機械設定であるトレイの設定を変更する設定変更釦１４３１が押釦可能に設けられている。設定変更釦１４３１は、機械の設定を変更するための機能表示に相当する。
【００５２】
また、保存ジョブ画面１４００Ａの下欄には、不可設定使用予定ジョブ表示部１４４０が設けられている。不可設定使用予定ジョブ表示部１４４０には、選択された保存ジョブを出力不可にする機械設定を、使用予定としている保存ジョブが表示されており、予約されているジョブで出力不可の機械設定を使用するものがあるかないかを識別可能にしている。
なお、上記識別表示は、画面のどの箇所に表示してもよく、本実施形態として特に限定されるものではない。
上記識別表示によって現在の機械設定を変更した際に不具合が生じないかを容易に判別することができる。
【００５３】
図５は、設定変更釦１４３１が押釦された際に表示されるトレイ設定画面１５００を示すものである。図４では、トレイＮｏ．５が、選択された保存ジョブを出力不可にする機械設定であるため、設定変更釦１４３１が押釦されると、トレイＮｏ．５に対応する設定画面１５００が表示される。設定画面１５００では、トレイＮｏ．１５０１に関する設定項目であることが表示されている。
設定画面１５００には、用紙サイズ、用紙種類（用紙名称）、坪量、色紙、パンチ、カール調整、エアーブロー、厚さ、出力紙濃度調整など、用紙プロファイルに付随する各調整値が、設定内容表示部１５１０に表示されている。
【００５４】
このうちで、用紙サイズが出力不可とするチケット情報の項目であるため、他の表示とは異なって、反転表示されている。この項目をチケット情報におけるＡ４サイズに変更することで、設定の不一致を変更することができる。なお、トレイＮｏ．５に収納されている用紙が実際にはＡ４サイズと異なる用紙が収納されている場合、トレイＮｏ．５内の用紙設定に合わせるために、トレイＮｏ．５内の用紙をＡ４サイズのものに変更することが必要になる。また、この例では、機械設定を変更して機械設定の不一致を解消するものとして説明したが、ジョブチケットの編集を行って機械設定が一致するように変更することが可能である。機械設定を変更するための機能表示が操作部１４０に表示されるため、オペレータによって機械設定とチケット編集のいずれか、または両方を選択して機械設定の不一致を解消することが可能になる。
上記により、出力順番が来るまでに、機械設定の変更作業を保存ジョブの画面上で指示することが可能になる。
【００５５】
機械設定後、設定変更釦１５２０を押釦することで、設定が確定し、閉じる釦１５３０を押釦することでトレイ設定画面１５００が閉じられて再度、保存ジョブ画面１４００Ａを表示することができる。この際には、チケット情報と機械設定との不一致が解消されているため、トレイ設定表示部１４３０は保存ジョブ画面１４００Ａには表示されず、ジョブ表示欄１４０３では、現在の機械設定で出力可であることが表示される。また、ジョブ表示欄１４０３において、現在の機械の設定と異なるチケット情報の項目であった用紙サイズの表示は、他の項目と同じ表示形式で表示される。
【００５６】
次に、保存ジョブの一覧からジョブを選択した際の手順を図６のフローチャートに基づいて説明する。なお、以下の手順は、制御ＣＰＵ１１０の制御によって実行される。
先ず、一時保存画面（ＨＤＤ内の保存ジョブリスト）を操作部１４０に表示する（ステップｓ１）。オペレータが一時保存画面上でジョブを選択したのを受け付ける（ステップｓ２）。選択されたジョブを、選択状態を示す表示色などで一覧に表示する（ステップｓ３）。
次いで、選択されたジョブのチケット情報は、機械設定と同じかを判定する（ステップｓ４）。チケット情報と機械設定とが同じであると（ステップｓ４、ＹＥＳ）、出力可能であることを操作部に表示し（ステップｓ５）、手順を終了する。
【００５７】
一方、チケット情報と、機械設定とが同じでない場合（ステップｓ４、ＮＯ）、出力不可であることを操作部に表示し、不一致する条件を操作部に表示する（ステップｓ６）。次いで、機械の用紙状態を表示し、用紙設定を変更する釦を操作部に表示する（ステップｓ７）。その後、設定変更釦の押釦が押されたかを判定し（ステップｓ８）、押釦がなければ待機し（ステップｓ８、ＮＯ）、設定変更釦の押釦があると（ステップｓ８、ＹＥＳ）、機械の用紙設定変更画面を表示し（ステップｓ９）、設定変更を可能にして手順を終了する。
【００５８】
以上、本発明について上記実施形態に基づいて説明を行ったが、本発明の範囲を逸脱しない限りは適宜の変更が可能である。
【符号の説明】
【００５９】
１    画像形成装置
１１０    制御ＣＰＵ
１２０    圧縮メモリー
１２７    ＨＤＤ
１４０    操作部
１４０Ａ  タッチパネルＬＣＤ
１４０Ｃ  マウス
１５０    プリンター部
１５２    ＬＤ部
１５３    感光体
１５４    帯電器
１５５    現像器
１５６    転写部
１５７    定着器
１４００Ａ  保存ジョブ画面
１４０１    保存ジョブ一覧表
１４０３    ジョブ表示欄
１４０３Ａ  用紙サイズの表示
１４０３Ｂ  警告表示
１４２０    ジョブチケット釦
１４２１    ページ編集釦
１４３０    トレイ設定表示部
１４３１    設定変更釦
１５００    トレイ設定画面
１５１０    設定内容表示部
１５２０    設定変更釦
【図１】
2015101016.tif 000003
【図２】
2015101016.tif 000004
【図３】
2015101016.tif 000005
【図４】
2015101016.tif 000006
【図５】
2015101016.tif 000007
【図６】
2015101016.tif 000008